(57)【要約】  【課題】エンジンオイルとシリンダバレルの冷却効率を高めることができる水冷エンジンを提供する。【解決手段】シリンダバレルの周囲にエンジン冷却水を通過させるシリンダジャケットを設けたシリンダブロック５を備え、シリンダジャケットは、ラジエータから供給されるエンジン冷却水を導入するジャケット入口を備え、ラジエータとジャケット入口の間に中継水路１８を備え、エンジンの幅方向を横方向、横一側を吸気側、横他側を排気側として、中継水路１８は、吸気側に設けられ、中継水路１８を介してラジエータからのエンジン冷却水の全量がジャケット入口に供給されるように構成され、中継水路１８内にオイルクーラ２１が配置されている【選択図】    図６
2019011765.tif 000002
【特許請求の範囲】
【請求項１】
シリンダバレルの周囲にエンジン冷却水(２)を通過させるシリンダジャケット(３)を設けたシリンダブロック(５)を備え、シリンダジャケット(３)は、ラジエータから供給されるエンジン冷却水(２)を導入するジャケット入口(３ａ)を備え、
ラジエータとジャケット入口(３ａ)の間に中継水路(１８)を備え、エンジンの幅方向を横方向、横一側を吸気側、横他側を排気側として、中継水路(１８)は、吸気側に設けられ、
中継水路(１８)を介してラジエータからのエンジン冷却水(２)の全量がジャケット入口(３ａ)に供給されるように構成され、
中継水路(１８)内にオイルクーラ(２１)が配置されている、ことを特徴とする水冷エンジン。
【請求項２】
請求項１に記載された立形直列多気筒エンジンにおいて、
中継水路(１８)は、シリンダブロック(５)の横側面を凹入して形成され、オイルクーラ(２１)は補機取付ベース(２２)に取り付けられ、補機取付ベース(２２)で蓋をされた中継水路(１８)内にオイルクーラ(２１)が差し込まれている、ことを特徴とする水冷エンジン。
【請求項３】
請求項２に記載された立形直列多気筒エンジンにおいて、
補機取付ベース(２２)には、オイルクーラ(２１)と連通するオイルフィルタ(２３)が取り付けられている、ことを特徴とする水冷エンジン。
【請求項４】
複数の直列のシリンダバレルを備え、
クランク軸中心軸線(８ｂ)の伸びる方向を前後方向、フライホイール(１０ａ)側を後側として、複数のシリンダバレルは、前端バレル(Ｂ１)と、後端バレル(Ｂ４)と、これらの間に位置する中間バレル(Ｂ２)(Ｂ３)を備え、
シリンダジャケット(３)は、ジャケット入口(３ａ)から導入されたエンジン冷却水(２)を前後方向に分流させる分流水路(３ｂ)と、前後方向に分流されたエンジン冷却水(２)を各シリンダバレルに向けて分流させる複数の分流出口と、各分流出口から導入されたエンジン冷却水(２)に各シリンダバレルの熱を放熱させる放熱水路(３ｃ)を備え、
複数の分流出口は、前端バレル(Ｂ１)への前分流出口(ｂ１)と、後端バレル(Ｂ４)への後分流出口(ｂ４)と、前端バレル(Ｂ１)と後端バレル(Ｂ４)の間に位置する中間バレル(Ｂ２)(Ｂ３)への中間分流出口(ｂ２)(ｂ３)を備え、
全中間バレル(Ｂ２)(Ｂ３)の横に位置し、全中間バレル(Ｂ２)(Ｂ３)の最前端から最後端までの前後長と同じ前後長を有する全中間バレル横領域(Ｅ２３)内にジャケット入口(３ａ)が納まるように配置されている、ことを特徴とする水冷エンジン。
【請求項５】
請求項４に記載された水冷エンジンにおいて、
前端バレル(Ｂ１)の横に位置し、前端バレル(Ｂ１)と同じ前後長の前端バレル横領域(Ｅ１)内に前分流出口(ｂ１)が納まるように配置され、後端バレル(Ｂ４)の横に位置し、後端バレル(Ｂ４)と同じ前後長の後端バレル横領域(Ｅ４)内に後分流出口(ｂ４)が納まるように配置され、中間バレル(Ｂ２)(Ｂ３)の横に位置し、中間バレル(Ｂ２)(Ｂ３)と同じ前後長の中間バレル横領域(Ｅ２)(Ｅ３)内に中間分流出口(ｂ２)(ｂ３)が納まるように配置されている、ことを特徴とする水冷エンジン。
【請求項６】
請求項５に記載された水冷エンジンにおいて、
４気筒エンジンで、ジャケット入口(３ａ)は全中間バレル横領域(Ｅ２３)の後寄りに配置され、前分流出口(ｂ１)は前端バレル横領域(Ｅ１)の後寄りに配置され、後分流出口(ｂ４)は後端バレル横領域(Ｅ４)の前寄りに配置され、一対の中間分流出口(ｂ２)(ｂ３)は、一対の中間バレル横領域(Ｅ２)(Ｅ３)の各後寄りに配置されている、ことを特徴とする水冷エンジン。
【請求項７】
請求項４から請求項６のいずれかに記載された水冷エンジンにおいて、
シリンダジャケット(３)は、分流水路(３ｂ)と放熱水路(３ｃ)を区画する一連の区画壁(３ｄ)を備え、
区画壁(３ｄ)は、一対の中間バレル(Ｂ２)(Ｂ３)の横凸湾曲部(Ｃ２)(Ｃ３)と、これら横凸湾曲部(Ｃ２)(Ｃ３)の間に位置する横凹入部(Ｄ２３)の凹凸に合わせて曲げられ、区画壁(３ｄ)の両端部と曲げの折り返し個所は、シリンダヘッド(６)をシリンダブロック(５)に締結するヘッドボルト(３ｈ)とネジ嵌合するネジボス(３ｅ)を備えている、ことを特徴とする水冷エンジン。
【請求項８】
請求項７に記載された水冷エンジンにおいて、
シリンダジャケット(３)は、隣り合うシリンダバレル間にエンジン冷却水(２)を通過させる横断水路(３ｆ)を備え、この横断水路(３ｆ)の水路入口(３ｇ)に向けて区画壁(３ｄ)から前記ネジボス(３ｅ)が隆起している、ことを特徴とする水冷エンジン。
【請求項９】
請求項７または請求項８に記載された水冷エンジンにおいて、
中間バレル(Ｂ２)(Ｂ３)の横凸湾曲部(Ｃ２)(Ｃ３)に向けて区画壁(３ｄ)から前記ネジボス(３ｅ)が隆起している、ことを特徴とする水冷エンジン。
【請求項１０】
請求項１から請求項６のいずれかに記載された水冷エンジンにおいて、
図各分流出口の開口下縁(ｂｕ)は、その分流出口が臨むシリンダバレルの上下中心(ＢＣ)よりも高い位置に設けられている、ことを特徴とする水冷エンジン。
【請求項１１】
請求項１０に記載された水冷エンジンにおいて、
各分流出口の開口下縁(ｂｕ)は、その分流出口が臨むシリンダバレル内の上死点位置にあるピストン(２６)の圧力リング(２６ｂ)の最下端(２６ｃ)よりも低く、このピストン(２６)の最下端(２６ｄ)よりも高い位置に設けられている、ことを特徴とする水冷エンジン。
【請求項１２】
請求項１から請求項１１のいずれかに記載された水冷エンジンにおいて、
複数の直列のシリンダバレルを備え、
クランク軸中心軸線(８ｂ)の伸びる方向を前後方向、フライホイール(１０ａ)側を後側として、複数のシリンダバレルは、前端バレル(Ｂ１)と、後端バレル(Ｂ４)と、これらの間に位置する中間バレル(Ｂ２)(Ｂ３)を備え、
シリンダブロック(５)は、オイルポンプから供給されるエンジンオイル(４ａ)を導入するオイル入口(２５ｂ)と、このオイル入口(２５ｂ)から導入したエンジンオイル(４ａ)を前後方向に分流させるオイルデリバリ通路(２５)と、オイルデリバリ通路(２５)で前後方向に分流させたエンジンオイル(４ａ)を各ピストン(２６)に臨むオイルジェットノズル(２５ａ)に分流させる複数の分流油出口を備え、
オイルデリバリ通路(２５)は、前後方向に向けられ、複数の分流油出口は、オイルデリバリ通路(２５)の前側と後側にそれぞれ位置する前分流油出口(ｈ１)と、後分流油出口(ｈ４)と、前分流油出口(ｈ１)と後分流油出口(ｈ４)の間に位置する中間分流油出口(ｈ２)(ｈ３)を備え、
シリンダ中心軸線(ＣＣ)と平行な向きに見て、オイル入口(２５ｂ)は、前記全中間バレル横領域(Ｅ２３)と重なる位置に配置されている、ことを特徴とする水冷エンジン。
【発明の詳細な説明】
【技術分野】
【０００１】
本発明は、水冷エンジンに関し、詳しくは、エンジンオイルとシリンダバレルの冷却効率を高めることができる水冷エンジンに関する。
【背景技術】
【０００２】
従来、立形直列多気筒エンジンは、複数のシリンダバレルの周囲にエンジン冷却水を通過させるシリンダジャケットを備えている。(例えば、特許文献１参照)。
【０００３】
この種のエンジンによれば、各シリンダバレルをエンジン冷却水で強力に冷却することができる利点がある。
【０００４】
特許文献１のものでは、シリンダジャケットのジャケット入口が前端シリンダバレルの真横に配置されている。
【先行技術文献】
【特許文献】
【０００５】
【特許文献１】特開２００８−９５６４５号公報(図１，図２参照)
【発明の概要】
【発明が解決しようとする課題】
【０００６】
《問題点》エンジンオイルとシリンダバレルの冷却効率が不足することがある。
特許文献１のエンジンでは、ジャケット入口から前後端シリンダバレルまでの距離差が大きく、前端シリンダバレルの過冷却と後端シリンダバレルの冷却不足が起こり易く、複数のシリンダバレル相互の温度分布が不均一な状態になりやすい。エンジンオイルの冷却については開示されていない。一般にエンジンでは、エンジンオイルとシリンダバレルの冷却効率が不足することがある。
【０００７】
本発明の課題は、エンジンオイルとシリンダバレルの冷却効率を高めることができる水冷エンジンを提供することにある。
【課題を解決するための手段】
【０００８】
請求項１に係る発明の発明特定事項は、次の通りである。
図１に例示するように、シリンダバレルの周囲にエンジン冷却水(２)を通過させるシリンダジャケット(３)を設けたシリンダブロック(５)を備え、シリンダジャケット(３)は、ラジエータから供給されるエンジン冷却水(２)を導入するジャケット入口(３ａ)を備え、
図６に例示するように、ラジエータとジャケット入口(３ａ)の間に中継水路(１８)を備え、エンジンの幅方向を横方向、横一側を吸気側、横他側を排気側として、中継水路(１８)は、吸気側に設けられ、
中継水路(１８)を介してラジエータからのエンジン冷却水(２)の全量がジャケット入口(３ａ)に供給されるように構成され、
図６に例示するように、中継水路(１８)内にオイルクーラ(２１)が配置されている、ことを特徴とする水冷エンジン。
【発明の効果】
【０００９】
《効果》  エンジンオイルの冷却効率を高めることができる。
図６に例示するように、排気の放熱を受けない吸気側の中継水路(１８)内において、シリンダジャケット(３)に導入される前の多量のエンジン冷却水(２)でエンジンオイル(４ａ)が冷却され、エンジンオイル(４ａ)の冷却効率が高い。を高めることができる。
《効果》  シリンダバレルの冷却効率を高めることができる。
図６に例示するように、排気の放熱を受けない吸気側で、ラジエータから供給される全量のエンジン冷却水(２)でが中継水路(１８)を通過した後、シリンダジャケット(３)に供給され、シリンダバレルの冷却効率を高めることができる。
【図面の簡単な説明】
【００１０】
【図１】本発明の実施形態に係るエンジンのシリンダブロックの横断平面図である。
【図２】図１のII−II線断面図である。
【図３】図１のIII−III線断面図である。
【図４】図１のシリンダブロックの正面図である。
【図５】図５(Ａ)は図４のＶＡ−ＶＡ線断面図、図５(Ｂ)は図４のＶＢ−ＶＢ線断面図である。
【図６】本発明の実施形態に係るエンジンの要部縦断正面図である。
【図７】本発明の実施形態に係るエンジンの側面図である。
【図８】図７のエンジンの平面図である。
【発明を実施するための形態】
【００１１】
図１〜図８は本発明の実施形態に係る水冷エンジンを説明する図で、この実施形態では、水冷のコモンレール式直列４気筒ディーゼルエンジンについて説明する。  
【００１２】
このエンジンの概要は、次の通りである。
図６〜図８に示すように、このエンジンは、シリンダブロック(５)と、シリンダブロック(５)の上部に組み付けられたシリンダヘッド(６)と、シリンダヘッド(６)の上部に組み付けられたシリンダヘッドカバー(７)と、シリンダブロック(５)の下部に組み付けられたオイルパン(４)と、クランク軸(図外)の架設方向を前後方向として、図７に示すように、シリンダブロック(５)の前部に配置されたベルト伝動機構(９)と、シリンダブロック(５)の後部に配置されたフライホイールハウジング(１０)と、前後方向と直交するエンジンの幅方向を横方向として、図６に示すように、シリンダヘッド(６)の横一側に設けられた吸気マニホルド(１１)と、シリンダヘッド(６)の横他側に設けられた排気マニホルド(１２)を備えている。
このエンジンは、燃料噴射装置と防振装置と水冷装置と潤滑装置と油冷装置を備えている。
【００１３】
燃料噴射装置は、コモンレール式のもので、図７に示すように、燃料サプライポンプ(１３)と、コモンレール(１４)と、図８に示すように、燃料インジェクタ(１５)を備え、燃焼室に燃料を噴射する。
防振装置は、回転バランサ(図外)を備え、エンジンの二次振動を相殺し、エンジンの振動を低減する。
【００１４】
水冷装置は、ラジエータ(図示せず)と、図６に示すように、シリンダブロック(５)の吸気側に設けられた水入口室(１６)と、図７に示すように、水入口室(１６)の前部に設けられた水ポンプ(１７)と、図６に示すように、水ポンプ(１７)の後で水入口室(１６)の下部に設けられた中継水路(１８)と、図１に示すように、シリンダブロック(５)内に設けられたシリンダ側水ジャケット(３)と、シリンダヘッド(６)内に設けられたヘッド側水ジャケット(図外)を備えている。
水冷装置は、水ポンプ(１７)のポンプ圧で、ラジエータで放熱されたエンジン冷却水を、水入口室(１６)、水ポンプ(１７)、中継水路(１８)、シリンダ側水ジャケット(３)、ヘッド側水ジャケット、ラジエータの順に循環させ、エンジンを水冷する。
【００１５】
潤滑装置は、シリンダブロック(５)の後部に内蔵されたオイルポンプ(図外)と、図６に示すように、中継水路(１８)に収容されたオイルクーラ(２１)と、補機取付ベース(２２)にオイルクーラ(２１)と共に取り付けられたオイルフィルタ(２３)と、シリンダブロック(５)の吸気側の肉壁内に設けられたオイルギャラリ(２４)を備え、オイルポンプのポンプ圧で、オイルパン(４)内のエンジンオイル(４ａ)を、オイルポンプ、オイルクーラ(２１)、オイルフィルタ(２３)、オイルギャラリ(２４)、図３に示すクランク軸の軸受け(図外)等のエンジン摺動部、オイルパン(４)の順に循環させ、エンジンの摺動部を強制潤滑する。
【００１６】
油冷装置は、図６に示すように、シリンダブロック(５)の吸気側の肉壁内にオイルギャラリ(２４)と平行に設けられたオイルデリバリ通路(２５)と、ピストン(２６)の下方に設けられたオイルジェットノズル(２５ａ)と、ピストン(２６)に内設されたクーリングチャンネル(２６ａ)を備え、潤滑装置のオイルクーラ(２１)とオイルフィルタ(２３)を順に通過したエンジンオイル(４ａ)の一部を補機取付ベース(２２)内でオイルデリバリ通路(２５)に分流させさせ、オイルジェットノズル(２５ａ)からクーリングチャンネル(２６ａ)内に向けて噴射させ、ピストン(２６)を油冷する。
【００１７】
このエンジンは、図１に示すように、複数の直列のシリンダバレルの周囲にエンジン冷却水(２)を通過させるシリンダジャケット(３)を設けたシリンダブロック(５)を備えている。
シリンダブロック(５)の構成は、次の通りである。
クランク軸中心軸線(８ｂ)の伸びる方向を前後方向、フライホイール(１０ａ)側を後側として、複数のシリンダバレルは、前端バレル(Ｂ１)と、後端バレル(Ｂ４)と、これらの間に位置する中間バレル(Ｂ２)(Ｂ３)を備えている。
シリンダジャケット(３)は、ラジエータから供給されるエンジン冷却水(２)を導入するジャケット入口(３ａ)と、ジャケット入口(３ａ)から導入されたエンジン冷却水(２)を前後方向に分流させる分流水路(３ｂ)と、前後方向に分流されたエンジン冷却水(２)を各シリンダバレルに向けて分流させる複数の分流出口と、各分流出口から導入されたエンジン冷却水(２)に各シリンダバレルの熱を放熱させる放熱水路(３ｃ)を備えている。
【００１８】
複数の分流出口は、前端バレル(Ｂ１)への前分流出口(ｂ１)と、後端バレル(Ｂ４)への後分流出口(ｂ４)と、前端バレル(Ｂ１)と後端バレル(Ｂ４)の間に位置する中間バレル(Ｂ２)(Ｂ３)への中間分流出口(ｂ２)(ｂ３)を備えている。
全中間バレル(Ｂ２)(Ｂ３)の横に位置し、全中間バレル(Ｂ２)(Ｂ３)の最前端から最後端までの前後長と同じ前後長を有する全中間バレル横領域(Ｅ２３)内にジャケット入口(３ａ)が納まるように配置されている。
すなわち、ジャケット入口(３ａ)は、全中間バレル横領域(Ｅ２３)から前後にはみ出さないように配置されている。
【００１９】
このため、この実施形態では、エンジン冷却水(２)が全中間バレル横領域(Ｅ２３)内のジャケット入口(３ａ)からシリンダジャケット(３)に導入され、ジャケット入口(３ａ)から各シリンダバレルまでの距離差が小さくなり、各シリンダバレルの冷却の過不足が起こり難く、複数のシリンダバレル相互間の温度分布が均一に近づく。
【００２０】
図１に示すように、前端バレル(Ｂ１)の横に位置し、前端バレル(Ｂ１)と同じ前後長の前端バレル横領域(Ｅ１)内に前分流出口(ｂ１)が納まるように配置され、後端バレル(Ｂ４)の横に位置し、後端バレル(Ｂ４)と同じ前後長の後端バレル横領域(Ｅ４)内に後分流出口(ｂ４)が納まるように配置され、中間バレル(Ｂ２)(Ｂ３)の横に位置し、中間バレル(Ｂ２)(Ｂ３)と同じ前後長の中間バレル横領域(Ｅ２)(Ｅ３)内に中間分流出口(ｂ２)(ｂ３)が納まるように配置されている。
すなわち、各分流出口はそれぞれ対応するバレル横領域から前後にはみ出さないように配置されている。
【００２１】
このため、この実施形態では、各分流出口と各シリンダバレルの相対位置が統一され、各シリンダバレルの冷却条件が均一な状態に近づく。
【００２２】
図１に示すように、このエンジンは、４気筒エンジンで、ジャケット入口(３ａ)は全中間バレル横領域(Ｅ２３)の後寄りに配置され、前分流出口(ｂ１)は前端バレル横領域(Ｅ１)の後寄りに配置され、後分流出口(ｂ４)は後端バレル横領域(Ｅ４)の前寄りに配置され、一対の中間分流出口(ｂ２)(ｂ３)は、一対の中間バレル横領域(Ｅ２)(Ｅ３)の各後寄りに配置されている。
【００２３】
このため、この実施形態では、フライホイール(１０ａ)によって放熱が妨げられ易い後側２気筒のシリンダバレルへの分流距離が短くなるとともに、放熱されやすい前側２気筒のシリンダバレルへの分流距離が長くなり、４気筒のシリンダバレル相互間の温度分布が均一に近づく。
【００２４】
図１に示すように、シリンダジャケット(３)は、分流水路(３ｂ)と放熱水路(３ｃ)を区画する一連の区画壁(３ｄ)を備えている。
区画壁(３ｄ)は、一対の中間バレル(Ｂ２)(Ｂ３)の横凸湾曲部(Ｃ２)(Ｃ３)と、これら横凸湾曲部(Ｃ２)(Ｃ３)の間に位置する横凹入部(Ｄ２３)の凹凸に合わせて曲げられ、区画壁(３ｄ)の両端部と曲げの折り返し個所は、シリンダヘッド(６)をシリンダブロック(５)に締結するヘッドボルト(３ｈ)とネジ嵌合するネジボス(３ｅ)を備えている。
【００２５】
このため、この実施形態では、ネジボス(３ｅ)で区画壁(３ｄ)の剛性が高まり、区画壁(３ｄ)が振動し難く、各シリンダバレルから横向きに放出される燃焼音やピストンスラップ音が区画壁(３ｄ)で跳ね返され、シリンダブロック(５)横側に放出されるエンジン騒音が低減される。
【００２６】
図１に示すように、シリンダジャケット(３)は、隣り合うシリンダバレル間にエンジン冷却水(２)を通過させる横断水路(３ｆ)を備え、この横断水路(３ｆ)の水路入口(３ｇ)に向けて区画壁(３ｄ)から前記ネジボス(３ｅ)が隆起している。
このため、この実施形態では、放熱水路(３ｃ)に流入したエンジン冷却水(２)がネジボス(３ｅ)の案内で横断水路(３ｆ)に向けて誘導され、シリンダバレル間の冷却効率が高まる。
【００２７】
図１に示すように、中間バレル(Ｂ２)(Ｂ３)の横凸湾曲部(Ｃ２)(Ｃ３)に向けて区画壁(３ｄ)から前記ネジボス(３ｅ)が隆起している。
このため、この実施形態では、放熱水路(３ｃ)に流入したエンジン冷却水(２)がネジボス(３ｅ)の案内で中間バレル(Ｂ２)(Ｂ３)の横凸湾曲部(Ｃ２)(Ｃ３)に向けて誘導され、中間バレル(Ｂ２)(Ｂ３)の冷却効率が高まる。
【００２８】
図２に示すように、各分流出口の開口下縁(ｂｕ)は、その分流出口が臨むシリンダバレルの上下中心(ＢＣ)よりも高い位置に設けられている。
このため、この実施形態では、エンジン冷却水(２)が分流出口からシリンダバレルの上半部側に導入され、シリンダバレルの上半部側の冷却不足と下半部側の過冷却が回避され、各シリンダバレルの上下方向の温度分布が均一な状態に近づく。
【００２９】
図２に示すように、各分流出口の開口下縁(ｂｕ)は、その分流出口が臨むシリンダバレル内の上死点位置にあるピストン(２６)の圧力リング(２６ｂ)の最下端(２６ｃ)よりも低く、このピストン(２６)の最下端(２６ｄ)よりも高い位置に設けられている。
このため、この実施形態では、圧力リング(２６ｂ)からの高熱を受け易いシリンダバレルの上寄り部分の冷却不足と、ピストン(２６)からの放熱を受け難いシリンダバレルの下寄り部の過冷却が回避され、各シリンダバレルの上下方向の温度分布が均一な状態に近づく。
圧力リング(２６ｂ)は上下に２個あり、下側の圧力リング(２６ｂ)の下端が最下端(２６ｃ)となる。
下側の圧力リング(２６ｂ)の下側にはオイルリング(２７)が設けられ、各分流出口の開口下縁(ｂｕ)は、その分流出口が臨むシリンダバレル内の上死点位置にあるピストン(２６)のオイルリング(２７)の下端よりも低い位置に配置されている。
【００３０】
図１に示すように、シリンダブロック(５)は、オイルポンプから供給されるエンジンオイル(４ａ)を導入するオイル入口(２５ｂ)と、このオイル入口(２５ｂ)から導入したエンジンオイル(４ａ)を前後方向に分流させるオイルデリバリ通路(２５)と、オイルデリバリ通路(２５)で前後方向に分流させたエンジンオイル(４ａ)を各ピストン(２６)に臨むオイルジェットノズル(２５ａ)に分流させる複数の分流油出口を備えている。
オイルデリバリ通路(２５)は、前後方向に向けられ、複数の分流油出口は、オイルデリバリ通路(２５)の前側と後側にそれぞれ位置する前分流油出口(ｈ１)と、後分流油出口(ｈ４)と、前分流油出口(ｈ１)と後分流油出口(ｈ４)の間に位置する中間分流油出口(ｈ２)(ｈ３)を備えている。
図１に示すように、シリンダ中心軸線(ＣＣ)と平行な向きに見て、オイル入口(２５ｂ)は、前記全中間バレル横領域(Ｅ２３)と重なる位置に配置されている。
具体的には、オイル入口(２５ｂ)は、シリンダ中心軸線(ＣＣ)と平行な向きに見て、前記全中間バレル横領域(Ｅ２３)と重なるその真下の領域に配置されている。
【００３１】
このため、この実施形態では、オイル入口(２５ｂ)から各オイル分流口までの距離差が小さくなり、各ピストン(２６)の冷却の過不足が起こり難く、複数のシリンダバレル相互間の温度分布が均一な状態に近づく。
【００３２】
シリンダ中心軸線(ＣＣ)と平行な向きに見て、各分流油出口は、対応するバレル横領域と重なる位置に配置されている。
具体的には、各分流油出口は、対応するバレル横領域と重なるその真下の位置に配置されている。
【００３３】
図１に示すように、シリンダバレルの周囲にエンジン冷却水(２)を通過させるシリンダジャケット(３)を設けたシリンダブロック(５)を備え、シリンダジャケット(３)は、ラジエータから供給されるエンジン冷却水(２)を導入するジャケット入口(３ａ)を備えている。
図６に示すように、ラジエータとジャケット入口(３ａ)の間に中継水路(１８)を備え、エンジンの幅方向を横方向、横一側を吸気側、横他側を排気側として、中継水路(１８)は、吸気側に設けられている。
中継水路(１８)を介してラジエータからのエンジン冷却水(２)の全量がジャケット入口(３ａ)に供給されるように構成されている。
このため、この実施形態では、排気の放熱を受けない吸気側で、ラジエータから供給される多量のエンジン冷却水(２)が中継水路(１８)を通過した後、シリンダジャケット(３)に供給され、シリンダバレルの冷却効率が高まる。を高めることができる。
【００３４】
図６に示すように、中継水路(１８)内にオイルクーラ(２１)が配置されている。このため、排気の放熱を受けない吸気側の中継水路(１８)内において、シリンダジャケット(３)に導入される前の多量のエンジン冷却水(２)でエンジンオイル(４ａ)が冷却され、エンジンオイル(４ａ)の冷却効率を高めることができる。
【００３５】
図６に示すように、中継水路(１８)は、シリンダブロック(５)の横側面を凹入して形成され、オイルクーラ(２１)は補機取付ベース(２２)に取り付けられ、補機取付ベース(２２)で蓋をされた中継水路(１８)内にオイルクーラ(２１)が差し込まれている。
このため、この実施形態では、オイルクーラ(２１)はシリンダブロック(５)に凹入された中継水路(１８)内に差し込まれ、オイルクーラ(２１)の配置でエンジンの横幅が大きく増加することがない。
【００３６】
図６に示すように、補機取付ベース(２２)には、オイルクーラ(２１)と連通するオイルフィルタ(２３)が取り付けられている。
このため、オイルクーラ(２１)とオイルフィルタ(２３)を取り付けた補機取付ベース(２２)で中継水路(１８)の蓋をすれば、シリンダブロック(５)にオイルクーラ(２１)とオイルフィルタ(２３)が取り付けられ、オイルクーラ(２１)とオイルフィルタ(２３)の取り付け作業が容易になる。
【００３７】
図１に示すように、オイルギャラリ(２４)は、オイル入口(２４ａ)と、図５(Ａ)に示すクランク軸(図外)のジャーナル軸受(図外)へのオイル出口(２４ｂ)を備え、オイル出口(２４ｂ)は、ジャーナル軸受のある位置にそれぞれ配置されている。
【符号の説明】
【００３８】
(２)…エンジン冷却水、(３)…シリンダジャケット、(３ａ)…ジャケット入口、(３ｂ)…分流水路、(３ｃ)…放熱水路、(３ｄ)…区画壁、(３ｅ)…ネジボス、(３ｆ)…横断水路、(３ｇ)…水路入口、(３ｈ)…ヘッドボルト、(４ａ)…エンジンオイル、(５)…シリンダブロック、(６)…シリンダヘッド、(８ｂ)…クランク軸中心軸線、(１０ａ)…フライホイール、(Ｂ１)…前端バレル、(Ｂ２)…中間バレル、(Ｂ３)…中間バレル、(Ｂ４)…後端バレル、(ＢＣ)…シリンダバレルの上下中心、(ｂ１)…前分流出口、(ｂ２)…中間分流出口、(ｂ３)…中間分流出口、(ｂ４)…後分流出口、(ｂｕ)…開口下縁、(ＣＣ)…シリンダ中心軸線、(Ｅ１)…前端バレル横領域、(Ｅ２)…中間バレル横領域、(Ｅ３)…中間バレル横領域、(Ｅ２３)…全中間バレル横領域、(Ｅ４)…後端バレル横領域、(Ｃ２)… 横凸湾曲部、(Ｃ３)…横凸湾曲部、(Ｄ２３)…横凹入部、(１８)…中継水路、(２０)…ヘッドジャケット、(２１)…オイルクーラ、(２２)…補機取付ベース、(２３)…オイルフィルタ 、(２５)…オイルデリバリ通路、(２５ａ)…オイルジェットノズル、(２５ｂ)…オイル入口、(ｈ１)…前分流油出口、(ｈ２)…中間分流油出口、(ｈ３)…中間分流油出口、(ｈ４)…後分流油出口、(２６)…ピストン、(２６ｂ)…圧力リング、(２６ｃ)…圧力リングの最下端、(２６ｄ)…ピストンの最下端。
【図１】
2019011765.tif 000003
【図２】
2019011765.tif 000004
【図３】
2019011765.tif 000005
【図４】
2019011765.tif 000006
【図５】
2019011765.tif 000007
【図６】
2019011765.tif 000008
【図７】
2019011765.tif 000009
【図８】
2019011765.tif 000010